(57)【要約】【課題】通常想定できないような特殊な故障が発生したとき、早急に故障調査が実施でき、当該昇降機を停止させることなく、確実な故障調査を可能にした昇降機故障状態表示装置を提供する。【解決手段】昇降機１が故障したとき、故障調査用の情報を昇降機１の記憶部４，記憶部５，記憶部６から一般公衆回線１０を介して発報するため、故障後、すぐに故障調査を実施可能とする。又、昇降機１の記憶部４のデータは、昇降機１のデータ圧縮部３０により、データを圧縮しているため、通信時間を大幅に短縮可能とする。又、通常想定することができないような特殊な故障の故障調査は、技術者が故障調査用の設定情報を任意に作成、またはパターン化された設定情報を第４記憶部から取り出し、前記情報を昇降機１に対して遠隔にて容易に設定可能とすることにより、昇降機１を停止させることなく、確実に故障調査を実施可能とする手段を設けた。【選択図】図１
2005206322.tif 000002
【特許請求の範囲】
【請求項１】
昇降機に故障が発生したとき、前記故障が発生したときの昇降機の様々な信号の状態を圧縮する機能と圧縮したデータを保存しておく機能と、前記昇降機の様々な信号を任意に設定変更が可能な機能と、前記昇降機の様々な信号の状態を保存する条件を任意に設定変更が可能な機能と故障発生時に故障内容と圧縮したデータを発報する機能を備えた昇降機と、この昇降機と一般公衆回線を介して通信を行い、前記信号を遠隔にて受信する機能、及び前記昇降機に対して故障調査用の情報を送信する機能を備えた昇降機故障状態表示装置において、
昇降機に通常想定することができないような特殊な故障が発生したとき、故障調査用の情報を、昇降機保守会社の事務所内から、一般公衆回線を利用し、遠隔で任意に設定可能とすることにより、前記昇降機が設置されている建物に出張することなく、かつ前記昇降機を停止させることなく、故障調査が行えることを特徴とする昇降機故障状態表示装置。
【請求項２】
前記昇降機が故障発生時に圧縮した故障調査用の故障データを一般回線を利用し、昇降機保守会社の事務所内に発報することにより、迅速に故障した昇降機の把握ができ、早急に故障調査を実施可能とする昇降機故障状態表示装置。
【請求項３】
前記昇降機の様々な信号の状態のデータを圧縮することにより、通信時間を大幅に短縮可能とする昇降機故障状態表示装置。
【請求項４】
前記昇降機の様々な信号の設定情報をパターン化することにより、容易に設定変更を可能とする昇降機故障状態表示装置。
【請求項５】
前記昇降機の様々な信号を、任意に設定変更を可能とする機能を備えていない機種の昇降機に対しても、前記故障調査を可能とする昇降機故障状態表示装置。
【請求項６】
前記昇降機の様々な信号の状態を保存する条件を、任意に設定変更を可能とする機能を備えていない機種の昇降機に対しても、前記故障調査を可能とする昇降機故障状態表示装置。
【発明の詳細な説明】
【技術分野】
【０００１】
本発明は、昇降機故障状態表示装置に係わり、特に、顧客都合により昇降機を停止させることが不可能な昇降機の故障調査を実施するときに、昇降機保守会社の事務所内で、任意の時間帯に故障調査を行うことを可能とした昇降機故障状態表示装置に関する。
【背景技術】
【０００２】
一般に、昇降機に故障が発生したとき、故障原因の調査を目的とした情報として、昇降機が故障したときの昇降機の様々な信号の状態を昇降機の記憶部に保存する。昇降機保守会社が故障調査を行うときは、前記保守会社の技術者が、前記昇降機が設置されている建物に出動し、調査を行う為に昇降機を停止させ、前記記憶部に保存してある前記昇降機の様々な信号の状態を読み取り、故障原因の調査を行う。（特許文献１参照）
ところで、前記昇降機の様々な信号は、前記昇降機の記憶部の容量制限から、前記昇降機の全ての信号を保存しているわけではなく、故障調査に有効と考えられる信号のみを保存している為、通常想定することができないような特殊な故障が発生した場合、必要な信号が保存されておらず故障の原因を特定することができない場合がある。この場合、前記技術者が前記特殊な故障の調査用の情報として有効と考えられる昇降機の信号を選択して、前記昇降機に再度故障が発生したときに、前記昇降機の記憶部に保存するように昇降機の設定情報を変更する必要がある。
【０００３】
このように前記技術者は、前記特殊な故障原因の調査を行う場合、対象の昇降機が設置されている建物に出張し、故障調査のために昇降機を停止させる必要があった。
【特許文献１】特開平５−２０１６３７号公報（段落番号０００８〜００１７、図１）
【発明の開示】
【発明が解決しようとする課題】
【０００４】
前記既知の昇降機故障状態表示装置は、昇降機保守会社の技術者が、故障調査を行う昇降機が設置されている建物に出張し、故障調査を行う昇降機を停止させて、前記昇降機の様々な信号を読み出し故障調査を行う必要があった。又、通常想定することができないような特殊な故障により、故障調査に必要な信号が保存されていない場合は、昇降機の設定を変更し、再度故障が発生したときに、改めて前記技術者が、前記昇降機が設置されている建物に出張し、故障調査のために、昇降機を停止させる必要があった。これにより、例えば顧客都合により昇降機を停止させることができない場合は、十分な故障調査を行うことができず、故障を繰り返し発生させる可能性があった。
【０００５】
又、故障発生してから日数が経過した後に故障調査を行うため、故障原因の究明が困難となる。又、故障発生時に前記記憶部に保存する前記昇降機の様々な信号について変化していない信号のデータについても保存するため、前記昇降機の記憶部のデータ量が多くなり、遠隔にある保守会社の事務所内の昇降機故障状態表示装置により、一般回線を利用し、読み取りを実施する際、多大な時間を要した。
【０００６】
本発明は、このような問題を解決するもので、その目的は昇降機保守会社の技術者が、前記昇降機を停止させることなく、遠隔にて故障調査を行うことを可能とし、又、通常想定することができないような特殊な故障の調査についても、昇降機の故障時に前記昇降機の記憶装置に保存する昇降機の様々な信号を、前記昇降機を停止させることなく、前記保守会社の事務所から遠隔にて任意に設定可能とし、又、故障発生時に故障調査用のデータを前記保守会社の事務所に発報することにより、故障調査効率の向上させることを可能にした昇降機故障状態表示装置を提供することにある。
【課題を解決するための手段】
【０００７】
前記目的を達成する為に、本発明による昇降機故障状態表示装置は、少なくとも、制御部、通信部、表示部、入力部、及び記憶部を備え、昇降機保守会社の事務所内に設置する。さらに、前記故障調査昇降機は、少なくとも、制御部、通信部、及び記憶部を備えており、前記昇降機故障状態表示装置とは一般公衆回線を介して結合される。前記故障調査昇降機には、故障発生した場合、前記一般公衆回線を介して前記昇降機故障状態表示装置に故障内容を発報する手段と前記記憶部には、昇降機の様々な信号がどのような状態になったときに故障調査用の情報を保存するか（捕捉するか）の設定情報、前記設定情報により保存する前記信号の設定情報、及び故障調査用の情報を保存する。故障調査用の情報については、変化しない信号は保存せず、変化した信号についても変化分のみ保存することでデータの圧縮をする。前記昇降機故障状態表示装置は、前記故障調査昇降機に故障が発生した場合、前記故障調査昇降機から前記一般公衆回線を介して発報した故障内容を受信して表示する手段と、前記各設定情報を前記一般公衆回線を介して設定変更を可能とする手段を具備している。
【０００８】
前記手段によれば、昇降機に故障が発生した場合、前記故障調査昇降機から故障調査用の情報を遠隔で取得し、前記昇降機故障状態表示装置で表示させ、故障調査を実施する。しかし、上記故障が通常想定できないような特殊な場合で故障調査に必要な情報が取得できなかった場合、前記各設定情報を前記一般公衆回線を介して、前記昇降機故障状態表示装置から前記必要な情報を取得できるように遠隔で設定変更を可能とすることにより、前記通常想定できないような特殊な故障の場合でも故障調査を実施することができる。この場合、昇降機保守会社の技術者は、故障調査のために昇降機が設置されている建物に出張する必要がなく、また昇降機を停止させることなく故障調査を実施することができる。又、前記昇降機が故障発生時に前記昇降機故障状態表示装置に故障内容を発報するため、早急に故障調査を実施可能となる。又、前記記憶部のデータを圧縮しているため、前記一般公衆回線を利用した故障調査の時間が大幅に短縮可能となる。
【０００９】
さらに、前記各設定情報を複数のパターンとして、前記昇降機故障状態表示装置の記憶部に格納しておき、前記各設定情報の変更が必要な場合、前記パターンから有効な前記各設定情報を選択し、前記一般公衆回線を介して遠隔で前記故障調査昇降機に設定することにより、容易に前記各設定情報を変更することができる。
【００１０】
又、前記昇降機が前記各設定情報を変更する機能を備えていない機種の場合においても、前記昇降機故障状態表示装置の画面上の処理、及び操作方法は同一とし、前記昇降機故障状態表示装置の内部処理にて、前記各設定情報を変更する機能を備えていない機種の昇降機に対しては、昇降機の各記憶部を遠隔にて直接書き換えることにより、同様の故障調査を実施することができる。
【発明の効果】
【００１１】
以上説明したように、本発明によれば、通常想定することができないような特殊な故障が発生した場合、早急に故障調査ができ、当該昇降機を停止させることなく効率的に故障調査を実施することができる。
【発明を実施するための最良の形態】
【００１２】
以下、本発明の実施の形態を図面を参照して説明する。
【００１３】
図１は、本発明による昇降機故障状態表示装置の一つの実施の形態を示すブロック構成図であり、図２は昇降機の故障調査方法の一実施形態を示すフローチャートである。
【００１４】
図１において、１は昇降機、２は制御部、３は通信部、４は第１記憶部、５は第２記憶部、６は第３記憶部、１０は一般公衆回線、２１は昇降機故障状態表示装置、２２は制御部、２３は通信部、２４は表示部、２５は入力部、２６は第１記憶部、２７は第２記憶部、２８は第３記憶部、２９は第４記憶部、３０はデータ圧縮部である。
【００１５】
昇降機１の制御に関する構成において、通信部３、及び第１記憶部４，第２記憶部５、第３記憶部６は、制御部２と接続されており、昇降機故障状態表示装置２１において、通信部２３、表示部２４、入力部２５、第１記憶部２６、第２記憶部２７、第３記憶部２８、第４記憶部２９は、制御部２２と接続されている。又、昇降機１と昇降機故障状態表示装置２１は、一般公衆回線１０を介して、図１に示されるように接続されている。
【００１６】
昇降機１において、第１記憶部４には、昇降機１に故障が発生したときに、故障調査用の情報（故障データ）をデータ圧縮部３０により圧縮してから格納し、第２記憶部５には、前記故障データを捕捉する為の条件情報（捕捉トリガ条件）を格納する。第３記憶部６には、昇降機１のどの情報を前記故障データとするかの情報（捕捉デバイス情報）を保存している。通信部３は一般公衆回線１０と接続する為の通信機能を有しており、これらは制御部２により制御されている。
【００１７】
昇降機故障状態表示装置２１において、第１記憶部２６には、昇降機１の第１記憶部４から取得した故障データを格納し、第２記憶部２７には、昇降機１の第２記憶部５と同じ捕捉トリガ条件、第３記憶部２８には、昇降機１の第３記憶部６と同じ捕捉デバイス情報をそれぞれ格納する。第４記憶部２９には、任意変更する捕捉トリガ条件、及び捕捉デバイス情報のパターンを複数種類格納されており、必要に応じて読み出すことができるものとする。入力部２５は、昇降機故障状態表示装置２１を操作する機能を有し、表示部２４により故障調査用の情報を確認する。通信部２３は一般公衆回線１０と接続する為の通信機能を有しており、これらは制御部２２により制御されており、故障発生時には一般公衆回線１０を利用し、第１記憶部４と第２記憶部５と第３記憶部６のデータを昇降機故障状態表示装置２１に発報する。
【００１８】
昇降機の故障調査の一つの運用形態を図１と図２のフロー図を用いて説明する。
【００１９】
Ｓ１０において通常想定することのできないような特殊な故障が発生した場合、Ｓ１１において、昇降機１のデータ圧縮部３０で圧縮された第１記憶部４から故障データを遠隔にある昇降機故障状態表示装置２１に発報し、昇降機故障状態表示装置２１の第１記憶部２６に格納する。同時に第２記憶部５、及び第３記憶部６に保存されている捕捉トリガ条件、及び捕捉デバイス情報も発報し、第２記憶部２７、及び第３記憶部２８に格納する。次にＳ２１において、Ｓ１１で取得した故障データを参照し、故障調査に有効なデータがあるかどうかを確認する。故障調査に有効なデータがあった場合、Ｓ１３において、故障調査を実施し、Ｓ１４において原因の判明、及び対策を実施する。Ｓ１２において、故障調査に有効なデータがなかった場合、Ｓ２１において昇降機故障状態表示装置２１にて、故障調査に有効なデータを捕捉するように、捕捉トリガ条件を作成し、第２記憶部２７に作成した捕捉トリガ条件を保存する。次にＳ２２において、捕捉デバイス情報を作成し、第３記憶部２８に作成した捕捉デバイス情報を保存する。次にＳ２３において、Ｓ２１、Ｓ２２にて作成、保存した捕捉トリガ条件、及び捕捉デバイス情報を、一般公衆回線１０を介して昇降機１に送信する。Ｓ２４において、昇降機１の制御部２は、捕捉トリガ条件、及び捕捉デバイス情報を受信し、第２記憶部５、及び第３記憶部６に格納する。その後、Ｓ１１に戻り再度同様の調査を実施することにより、原因が判明するまで故障調査を実施する。
【００２０】
図３、及び図４は、捕捉トリガ条件、及び捕捉デバイス情報を設定する故障状態表示装置の表示部に表示される画面の一例を示す。図３は昇降機に予め設定されている、前記各条件の初期設定状態を表す。図３において、Ａ１は設定表示画面、Ａ２は捕捉デバイス情報一覧表、Ａ２１は捕捉デバイス名称、Ａ２２は捕捉デバイス、Ａ２３は捕捉デバイスのアドレス、Ａ３は捕捉トリガ条件判定回路図、Ａ４はＡ３に示す回路図の判定条件一覧表、Ａ４１は前記判定条件の各番号、Ａ４２は前記判定条件に使用するデバイス、Ａ４３は前記判定条件に使用するデバイスのアドレス、Ａ４４は前記判定条件に使用する判定式、Ａ４５は前記判定条件に使用する判定値、Ａ５は予め複数種類パターン化してあるＡ３の捕捉トリガ判定回路の選択パターン番号、Ａ６は設定した捕捉デバイス情報、及び捕捉トリガ条件を、昇降機１に送信するボタンである。
【００２１】
ここで、例えば昇降機１が走行中にドア関係の故障が発生し非常停止した場合、昇降機１において捕捉デバイス情報Ａ２にある非常停止回数がカウントアップする。このとき昇降機１においてＡ４の判定条件のＢが、判定式Ａ４４及びＡ４５と比較し有効となるため、判定回路図Ａ３においてＢが有効となり、判定回路全体として有効となる。これにより昇降機１の制御部２は、捕捉デバイス情報一覧表Ａ２に登録済みのデバイスＡ２２のデータを、昇降機１のデータアドレスＡ２３からデータを読み出し、第１記憶部４に故障データを格納する。昇降機故障状態表示装置２１は、昇降機１の第１記憶部４に格納された前記故障データを、一般公衆回線１０を介して遠隔で取得し、昇降機保守会社の技術者は、捕捉デバイス情報一覧表Ａ２に登録済みの前記故障データを確認し故障の原因究明を行う。例えば、捕捉デバイス情報一覧表Ａ２に登録済みの主ＴＣＤを確認すると、データが”４３”となっており、前記技術者は前記データをもとに故障の原因を推定することができる。
【００２２】
しかし、前記故障データの主ＴＣＤの値が“００”となっており、捕捉デバイス情報Ａ２に登録済みの他の故障データを確認しても有効な故障データがない場合、故障の原因を特定することができない。前記技術者は自己の知識において、例えば前記故障が発生した前後の時点の前記昇降機１のドアがどのような動作をしていたのか、及び前記故障が発生した前後の時点の前記昇降機１の電源の状態がどうだったのか、又、前記故障が発生した前後の時点の前記昇降機１の制御部２の処理負荷の状態がどうだったのかがわかれば、故障の原因を特定することが可能であると判断したとする。しかし、前記捕捉デバイス情報一覧表Ａ２には、前記ドアの動作、電源の状態、及び制御部２の処理負荷の状態が登録されておらず、故障の原因を特定することができない。前記故障が発生した前記昇降機１は、故障対応に出動した昇降機保守会社の保守員により暫定的に復旧させるが、根本的な原因が不明な為、本対策ができないままとなっており、再度前記故障が発生する可能性がある。
【００２３】
そこで、前記技術者は、前記ドアの動作、電源の状態、及び制御部２の処理負荷の状態を図４の捕捉デバイス情報Ａ２のように、故障の原因の特定に有効と考えられる故障データを登録し、前記昇降機１に対して一般公衆回線１０を介して遠隔で送信し昇降機１の第３記憶部６に格納しておく。再度前記故障と同様の故障が発生したとき、昇降機１の制御部２は、前記昇降機１の第３記憶部６から、捕捉デバイス情報を参照し、前記ドアの動作、電源の状態、及び制御部２の処理負荷の状態を前記第１記憶部に格納する。前記技術者は、故障状態表示装置１により前記ドアの動作、電源の状態、及び制御部２の処理負荷の状態を確認することにより、前記故障の原因を特定することができるため、前記故障の本対策が可能となり、前記故障の再発を防ぐことができる。
【００２４】
一方、昇降機１が停止中に故障が発生した場合、図３の判定条件一覧表Ａ４のＢの項目である、非常停止回数がカウントアップせず、前記Ｂの条件が成立しない為、昇降機１の制御部２は、捕捉デバイス情報一覧表Ａ２に登録済みのデータを第１記憶部４に格納しない。同様に前記判定条件一覧表Ａ４の項目全ての条件が成立しなかった場合、制御部２は、故障データ自体を前記昇降機１の第１記憶部に格納しない為、故障状態表示装置２１は、故障データを取得することができず、故障の原因を特定することができない。
【００２５】
そこで、前記技術者は自己の知識により、判定条件一覧表Ａ４の条件が成立するように、Ａ４の条件を設定し、また同様に捕捉トリガ条件判定回路図Ａ３についても故障データの捕捉条件が成立するようにＡ３の回路を設定する。設定後に昇降機１に対して一般公衆回線１０を介して送信し、第２記憶部５に格納しておく。再度前記故障と同様の故障が発生したとき、昇降機１の制御部２は、前記昇降機１の第２記憶部５から、捕捉トリガ条件を参照し、前記条件が成立したとき、制御部２は第３記憶部６に格納されている捕捉デバイス情報が示す故障データを第１記憶部４に格納する。前記技術者は、故障状態表示装置１により故障データを確認することにより、前記故障の原因を特定することができるため、前記故障の本対策が可能となり、前記故障の再発を防ぐことができる。
【００２６】
このような実施の形態によれば、昇降機に通常想定することができないような特殊な故障が発生した場合、その故障調査を実施する為に、当該昇降機を停止させることなく、昇降機保守会社の事務所内から故障調査を実施することができ、又、故障発生後、昇降機保守会社に故障内容を発報するため、早急に故障調査が実施でき故障調査効率の向上が可能となる。さらに故障調査に必要と考えられる故障データ、及び故障データを捕捉する条件についても任意に設定することができ、確実な故障調査を実施することができ、又、故障データを圧縮することにより、通信時間を大幅に短縮できる。
【００２７】
又、Ｓ２１、及びＳ２２において、捕捉トリガ条件、及び捕捉デバイス情報を作成するときに、予め決まったパターンの捕捉トリガ条件、及び捕捉デバイス情報を昇降機故障状態表示装置２１の第４記憶部２９に複数格納しておき、必要に応じて前記第４記憶部２９から取り出し、Ｓ２３において遠隔で送信することにより、容易に捕捉トリガ条件、及び捕捉デバイス情報を設定することができる。例えば、エレベーターのドア関係の故障の場合、ドアに関するデバイス情報、及びトリガ条件を登録したパターンを作成しておき、ドア関係の故障が発生した場合、前記パターンを当該エレベーターに遠隔で送信することにより、容易に設定を行うことができる。
【００２８】
さらに、捕捉トリガ条件、及び捕捉デバイス情報を変更する機能を備えていない機種の昇降機に対しては、Ｓ２３において、遠隔で捕捉トリガ条件、及び捕捉デバイス情報を送信するときに、昇降機故障状態表示装置２１の内部処理にて捕捉トリガ条件、及び捕捉デバイス情報を、直接昇降機の各記憶部に書き込むことにより同様の故障調査方法が可能となる。
【図面の簡単な説明】
【００２９】
【図１】本発明による昇降機故障状態表示装置の一実施形態を示すブロック構成図である。
【図２】本発明に係わる昇降機の故障調査方法の一実施形態を示すフローチャートである。
【図３】本発明に係わる昇降機の故障調査情報の初期設定パターンを示す一画面例である。
【図４】本発明に係わる昇降機の故障調査情報の、捕捉デバイス情報の任意設定パターンを示す一画面例である。
【図５】本発明に係わる昇降機の故障調査情報の、捕捉トリガ条件の任意設定パターンを示す一画面例である。
【図６】本発明に係わる昇降機の故障調査用の情報を、昇降機故障状態表示装置に表示した場合の一画面例である。
【符号の説明】
【００３０】
１  昇降機
２  制御部
３  通信部
４  第１記憶部
５  第２記憶部
６  第３記憶部
１０  一般公衆回線
２１  昇降機故障状態表示装置
２２  制御部
２３  通信部
２４  表示部
２５  入力部
２６  第１記憶部
２７  第２記憶部
２８  第３記憶部
２９  第４記憶部
３０  データ圧縮部
【図１】
2005206322.tif 000003
【図２】
2005206322.tif 000004
【図３】
2005206322.tif 000005
【図４】
2005206322.tif 000006
【図５】
2005206322.tif 000007
【図６】
2005206322.tif 000008